(57)【要約】【課題】  現場にて立平を用いた屋根の葺設が容易に行え、あらゆる方向から生じる外力に対し、高いレベルで偏りのない強度を有する屋根構造の提供。【解決手段】  付属物を係止する係止板１と、立平葺き屋根板のハゼ部１０の括れ１０ａを挟持すると共に、係止板１を左右から挟み込む同一形状に成形された一対の挟持片２，２と、それを締結するボルト３ａ及びナット３ｂを有し、挟持片２，２は、上部に互いに離隔する方向へ屈曲した座部４ａ、その先から係止板１が収まる長さの立上部４ｂ、及びその先から互いに近接する方向に屈曲した突縁４ｃから成るホルダー４を備え、下部にハゼ部１０の括れ１０ａを挟持する押え爪５を備え、突縁４ｃは、全突出長にわたるスリット６を備え挟持片２，２に通したボルト３ａとナット３ｂを締めることにより、挟持片２，２とそのホルダー４，４及び押え爪５，５が相互に接近し、フック部１ｂの左右下端部がスリット６に収まることを特徴とする立平葺き屋根用付属物取付金具。【選択図】      図１
2011252300.tif 000002
【特許請求の範囲】
【請求項１】
付属物を係止する係止板（１）と、
立平葺き屋根板のハゼ部（１０）の括れ（１０ａ）を挟持すると共に、係止板（１）を左右から挟み込む同一形状に成形された一対の挟持片（２，２）と、
一対の挟持片（２，２）を締結するボルト（３ａ）及びナット（３ｂ）を有し、
挟持片（２，２）は、上部に互いに離隔する方向へ屈曲した座部（４ａ）、座部（４ａ）の先から係止板（１）が収まる長さの立上部（４ｂ）、及び立上部（４ｂ）の先から互いに近接する方向に屈曲した突縁（４ｃ）から成るホルダー（４）を備え、下部に立平葺き屋根板のハゼ部（１０）の括れ（１０ａ）を挟持する押え爪（５）を備え、且つ中間部（２ａ）にボルト挿通孔を備え、
係止板（１）は、平板状の台部（１ａ）と、台部（１ａ）の中央部から起立し前後いずれかの方向へ屈曲したフック部（１ｂ）を備え、
突縁（４ｃ）は、全突出長にわたるスリット（６）を備え
一対の挟持片（２，２）のボルト挿通孔に通したボルト（３ａ）とナット（３ｂ）を締めることにより、一対の挟持片（２，２）とそのホルダー（４，４）及び押え爪（５，５）が相互に接近し、フック部（１ｂ）の左右下端部がスリット（６）に収まることを特徴とする立平葺き屋根用付属物取付金具。
【発明の詳細な説明】
【技術分野】
【０００１】
本発明は、立平葺き屋根（以下屋根と記す）に用いられ、屋根緑化等のパネルを支持するフレームを付属物として屋根に取り付ける為の金具に関する。
【背景技術】
【０００２】
従来、立平葺き屋根の葺設工事は、屋根板となる金属板を野地板に固定するに際して、野地板上に吊子金具をビス等で固定し、吊子金具に沿って野地板上に葺いた金属板の縁部を、相隣接する金属板の縁部と共に吊子金具を巻き込む形で連結したハゼ部を形成することによって、野地板上に葺いた全ての金属板をハゼ部に巻き込まれた吊子金具を介して野地板に固定する作業を行うものである（例えば下記特許文献１参照）。
【０００３】
この様な立平葺きに、取り付ける取付金具の一般的な構造には、例えば、上記特許文献１に示す様に、ハゼ部の基部に形成された括れ部を挟持するものが挙げられる。
この例は、化粧瓦を取り付ける為の取付金具であって、付属部の固定が比較的簡単な例である。
【先行技術文献】
【特許文献】
【０００４】
【特許文献１】特開２０００−３１００１１号公報
【発明の開示】
【発明が解決しようとする課題】
【０００５】
しかしながら、屋根に取り付けるべき付属物は、必ずしも簡単に取り付け得るものとは限らず、取付金具の構造は、上記の如く屋根板に固定する構造に加えて、付属物を支持する構造が必要となる。この様な取付金具にあっては、固定する付属品との関係で確実に保持するという所期の目的を達成することはもとより、製造手間や製造コストの関係で出来る限り簡素な構造を有し、部品点数にあっても出来る限り少なく、施工の手間の少ない金具の案出が望まれるところである。
【０００６】
本発明は、上記実情に鑑みてなされたものであって、パネルを支持するフレームを付属物として屋根に取り付ける為の金具において、固定する付属品との関係で確実に保持するという所期の目的を達成することはもとより、製造手間や製造コストの関係で出来る限り簡素な構造を有し、部品点数にあっても出来る限り少なく、施工の手間の少ない立平葺き屋根用付属物取付金具の提供を目的とする。
【課題を解決するための手段】
【０００７】
上記課題を解決する為になされた本発明による立平葺き屋根用付属物取付金具は、付属物を係止する係止板と、立平葺き屋根板のハゼ部の括れを挟持すると共に、係止板を左右から挟み込む同一形状に成形された一対の挟持片と、一対の挟持片を締結するボルト及びナットを有したものである。
【０００８】
挟持片は、上部に互いに離隔する方向へ屈曲した座部、座部の先から係止板が収まる長さの立上部、及び立上部の先から互いに近接する方向に屈曲した突縁から成るホルダーを備え、下部に立平葺き屋根板のハゼ部の括れを挟持する押え爪を備え、且つ中間部にボルト挿通孔を備える。尚、ホルダーを構成する座部、立上部、及び突縁の全部又は一部が曲線的に一連となっていても良い。
【０００９】
係止板は、平板状の台部と、台部の中央部から起立し前後いずれかの方向へ屈曲したフック部を備え、突縁は、全突出長にわたるスリットを備える。一対の挟持片のボルト挿通孔に通したボルトとナットを締めることにより、一対の挟持片とそのホルダー及び押え爪が相互に接近して立平葺き屋根のハゼ部への装着が完了し、係止板のフック部の左右下端部がスリットに収まった形で係止板の保持が完了する。
【発明の効果】
【００１０】
本発明よる立平葺き屋根用付属物取付金具によれば、主な部品点数は、一対の挟持片、ボルト及びナット、及び係止板の三種四点となり、また、各部品それぞれの構造にあっても、裁断加工の他、曲げ加工及び溶着加工を数箇所施すのみで成形することができるので、製造手間や製造コストを削減することとなる。
また、ボルトとナットを締めることにより、一対の挟持片が相互に近接し、挟持片のホルダーが立平葺き屋根のハゼ部を強固に挟持する。同時に、一対の挟持片の押え爪が係止板を強固に保持することと、フック部の左右下端部がスリットに収まることが相俟って、係止板の押え爪におけるズレを有効に防止することができる。
【００１１】
更に、施工にあっても、ボルトとナットを仮締めすることによって各部品を仮止めし、その状態で立平葺き屋根のハゼ部へ容易に取り付けることが出来るので、取付作業の手間や施工コストの削減にも寄与する。
【図面の簡単な説明】
【００１２】
【図１】本発明による立平葺き屋根用付属物取付金具の構造及びその装着例を示す正面図である。
【図２】本発明による立平葺き屋根用付属物取付金具の構造及びその装着例を示す側面図である。
【図３】本発明による立平葺き屋根用付属物取付金具における係止板の構造を示す側面図である。
【図４】本発明による立平葺き屋根用付属物取付金具を装着する立平葺き屋根構造の一例を示す斜視図である。
【図５】本発明による立平葺き屋根用付属物取付金具を装着する立平葺き屋根構造の一例を示す拡大断面図である。
【図６】本発明による立平葺き屋根用付属物取付金具を装着する立平葺き屋根構造に用いられるタイトフレームの一例を示す拡大正面図である。
【図７】本発明による立平葺き屋根用付属物取付金具に固定されるフレーム及びその装着状態の一例を示す側面図である。
【図８】本発明による立平葺き屋根用付属物取付金具により取り付けられた付属物の取付状態の一例を示す上から見た実施態様図である。
【発明を実施するための形態】
【００１３】
以下、本発明による立平葺き屋根用付属物取付金具（以下「取付金具」と記す）の実施の形態を図面に基づき説明する。
本実施の形態を取り付ける屋根構造は、屋根の下地材上に固定するタイトフレーム１１（図６参照）と、タイトフレーム１１に定着する金属板（以下立平１２と記す）とで構成される立平葺き屋根である。
【００１４】
立平１２は、屋根の下地材上に定着する平坦部１２ａと、その両端から立ち上がる立ち上がり部１２ｂ、及び各立ち上がり部１２ｂの先から延設された括れ部１２ｃを有する係合部１２ｄを備えるものである（図４及び図５参照）。
【００１５】
タイトフレーム１１は、立平葺き屋根に直接固定するものであって、係合部１２ｄに挿入される複数の吊り子部１１ａを所定の間隔で一体的に備えたものである。
前記吊り子部１１ａは、前記立平１２の幅方向の二方に開いた係止片を備え、隣接して相連結する立平１２の係合部１２ｄが相互に係合し、且つ前記吊り子部１１ａを内包し、前記括れ部１２ｃに前記二方の係止片に係る加締め加工部１３を設けてなる（図１、図４、及び図５参照）。
【００１６】
本実施の形態は、植物が植生する屋根緑化パレットのフレーム（付属物の一つ）１４を係止するフックを備える係止板１と、立平葺き屋根のハゼ部１０の括れ１０ａを挟持すると共に、係止板１を左右から挟み込む一対の挟持片２，２と、同一形状に成形された一対の挟持片２，２を締結するボルト３ａ及びナット３ｂで構成される（図７参照）。
【００１７】
挟持片２，２は、厚み：約１ｍｍから約３ｍｍ程度の金属板を裁断し、曲げ加工、又はプレス加工を施したものであって、略平坦な中間部２ａを介在して、上部にホルダー４を備え、下部に押え爪５を備える。
ホルダー４は、一対の挟持片２，２の各々について、中間部２ａの上端から互いに離隔する方向へ略直角に屈曲した座部４ａと、座部４ａの先から係止板１が収まる長さ分上方へ略直角に屈曲した立上部４ｂと、立上部４ｂの先から互いに近接する方向に略直角に屈曲した突縁４ｃを備える。
突縁４ｃは、その突出方向に沿い、全突出長にわたり、且つ係止板１のフック部１ｂの厚みと等しい幅のスリット６を備える（図１及び図７参照）。
【００１８】
押え爪５は、一対の挟持片２，２の各々について、中間部２ａの下端から互いに離隔する方向へ立平葺き屋根のハゼ部（立平１２の係合部１２ｄ）１０を跨ぐ形で屈曲又は湾曲した逃げ部５ａと、逃げ部５ａの先から立平１２におけるハゼ部１０の括れ１０ａへ向けて互いに近接する方向に屈曲した爪部５ｂを備える。
中間部２ａは、ボルト挿通孔を備え、補強を要する場合には、リブを適宜成形する。
【００１９】
係止板１は、方形状の金属平板からなる台部１ａと、台部１ａと同じ幅を持つ方形状の金属平板を略直角に屈曲したフック部１ｂとからなり、台部１ａの前後方向中間部に、台部１ａの側縁とフック部１ｂの側縁の面を合わせた状態でフック部１ｂの端面を付き合わせ、且つフック部１ｂの表裏を前後方向に向けて溶着したものである。その結果、フック部１ｂは、台部１ａの中央部から起立し前後いずれかの方向へ屈曲する形となる（図１及び図３参照）。
【００２０】
本実施の形態は、以上の如く構成され、図１の如く、形態の等しい一対の挟持片２，２を、押え爪５，５が立平葺き屋根のハゼ部１０を跨ぐ形となる様に配置し、ボルト挿通孔に通したボルト３ａとナット３ｂを締めることにより、一対の挟持片２，２のホルダー４，４及び押え爪５，５が相互に近接し、フック部１ｂの左右下端部がスリット６に収まると共に、一対の挟持片２，２のホルダー４，４が立平葺き屋根のハゼ部１０の括れ１０ａを強固に挟持し、一対の挟持片２，２の押え爪５，５が係止板１を強固に保持する。
【００２１】
上記の如く立平葺き屋根に固定した取付金具は、そのフック部１ｂによって、屋根緑化パレット１５を保持するためのフレーム１４を係止し、当該フレーム１４で複数の屋根緑化パレット１５を保持することによって、立平葺き屋根の上に、比較的容易に屋根緑化措置を施すことができる（図７及び図８参照）。
【００２２】
フレーム１４は、例えば、図７に示す様に、鋼板を上支え板１４ａ、背板１４ｂ、及び下支え板１４ｃからなるコの字状に成形したものである。この例は、一対のフレーム１４を、各々の背板１４ｂを接する形で配設するフレーム１４であって、対をなすフレーム１４，１４の背板１４ｂは、相互に嵌まりあう凹部１４ｄと凸部１４ｅを備える。凹部１４ｄと凸部１４ｅは、組となってフック部１ｂを挟み、その挟持状態を維持すべくボルト１６ａとナット１６ｂで連結する。フック部１ｂとフレーム１４との間にガタつきが生じない様に、フレーム１４の背板１４ｂが有する弾力で挟持出来る様に、フック部１ｂの厚みと凸部１４ｅの突出長との和が凹部１４ｄの深さを超える様に設定しても良い（図７（Ｂ）参照）。
【００２３】
取付金具は、パレット１５の幅に合わせて立平葺き屋根のハゼ部１０に固定する。その際、各列の取付金具のフック部１ｂは同じ方向へ向ける。各列を為す取付金具に上記の如く一対のフレーム１４，１４を固定し、当該一対のフレーム１４，１４の相対抗する開口部１４ｆに、パレット１５の両側縁を通し、各フレーム１４の両端をストッパ１７で封じることによりパレット１５の離脱を防止する（図８参照）。
尚、屋根の上に装着する付属物は、屋根緑化設備に限らず、太陽光発電パネル等も考えられ、その他、設置する付属物に応じたフレームを、適宜設計変更することとなる。
【００２４】
尚、各立平１２の例としては、厚さ約０．６ｍｍから１．２ｍｍの短冊状に裁断されたメッキ鋼板であって、その長手方向に沿って一様な断面形状となる様に曲げ成形されたものが挙げられる。
【符号の説明】
【００２５】
１  係止板，１ａ  台部，１ｂ  フック部，
２  挟持片，２ａ  中間部，
３ａ  ボルト，３ｂ  ナット，
４  ホルダー，４ａ  座部,４ｂ  立上部，４ｃ  突縁，
５  押え爪，５ａ  逃げ部，５ｂ  爪部， 
６  スリット，
１０  ハゼ部，１０ａ  括れ，
１１  タイトフレーム，１１ａ  吊り子部，
１２  立平，
１２ａ  平坦部，１２ｂ  立ち上がり部，１２ｃ  括れ部，１２ｄ  係合部，
１３  加締め加工部，
１４  フレーム，１４ａ  上支え板，１４ｂ  背板，１４ｃ  下支え板，１４ｄ  凹部，１４ｅ  凸部，
１４ｆ  開口部，
１５  パレット，
１６ａ  ボルト，１６ｂ  ナット，
１７  ストッパ，
【図１】
2011252300.tif 000003
【図２】
2011252300.tif 000004
【図３】
2011252300.tif 000005
【図４】
2011252300.tif 000006
【図５】
2011252300.tif 000007
【図６】
2011252300.tif 000008
【図７】
2011252300.tif 000009
【図８】
2011252300.tif 000010